(57)【要約】 【課題】  道路清掃しながら清掃中の道路の状態を記録するようにした路面清掃車を提供する。【解決手段】  車両１に、車両１の緯度、経度の位置データを検出可能な位置検出装置１０と、清掃する道路の清掃前の道路状況を撮影可能な清掃前用カメラ１１と、清掃する道路の清掃後の道路状況を撮影可能な清掃後用カメラ１２と、前記両カメラ１１，１２から出力される撮影データとその時点で位置検出装置１０により検出される車両１の位置データとを組み合わせた作業データを記録する作業データ記録装置１３を備えたことで、道路清掃しながら前記作業データを記録することができる。【選択図】  図３
2007293411.tif 000002
【特許請求の範囲】
【請求項１】
塵埃を収容可能なホッパーと、路面上の塵埃をホッパー内に回収可能な清掃装置とを備え、道路を走行しながら路面上を清掃するようにしてある路面清掃車において、車両の緯度、経度の位置データを検出可能な位置検出装置と、清掃する道路の清掃前の道路状況を撮影可能な清掃前用カメラと、清掃する道路の清掃後の道路状況を撮影可能な清掃後用カメラと、前記両カメラから出力される撮影データとその時点で位置検出装置により検出される車両の位置データとを組み合わせた作業データを記録する作業データ記録装置を備え、道路清掃しながらその清掃中の道路の清掃前と清掃後の道路状況を示す撮影データと清掃中の車両の位置データとを組み合わせた作業データを記録するようにしたことを特徴とする路面清掃車。
【請求項２】
清掃前用カメラは車両前方の道路状況を撮影可能な複数の前方監視カメラと道路清掃する清掃領域の全景を撮影可能な全景用カメラとから成り、清掃後用カメラは車両後方の道路状況を撮影可能な複数の後方監視カメラから成ることを特徴とする請求項１記載の路面清掃車。
【請求項３】
前方監視カメラは、車両の左側前方の道路状況を撮影可能な左側前方監視カメラと車両の右側前方の道路状況を撮影可能な右側前方監視カメラとから成り、後方監視カメラは、車両の左側後方の道路状況を撮影可能な左側後方監視カメラと車両の右側後方の道路状況を撮影可能な右側後方監視カメラとから成り、道路清掃個所が道路の左側か右側かによって対応する側の前方監視カメラと後方監視カメラから撮影データが出力されるようにしたことを特徴とする請求項１または２記載の路面清掃車。
【発明の詳細な説明】
【技術分野】
【０００１】
本発明は、道路の清掃や補修作業に向かう作業車両に関し、特に道路を走行しながら路面上を清掃するようにしてある路面清掃車に関する。
【背景技術】
【０００２】
高速道路や一般幹線道路を管理する道路管理者から道路の清掃や補修作業を請負業者に委託して行わせることが多い。その場合、指示した場所の道路の清掃や補修作業の作業完了を証明するために、請負業者から作業前後に撮影した写真が提出される。しかし、添付される写真から本当に指示した場所で指示した通りの作業を行なったのか否かを判別することが難しい問題があった。
そこで、特許文献１に記載のように、道路の補修作業に向う作業車両に、車両の位置情報及び時刻情報を検出するＧＰＳ受信装置と、補修前と補修後の道路状況を撮影するカメラと、ＧＰＳ受信装置からの位置情報と時刻情報、カメラによる撮影記録情報が夫々入力される演算処理装置と、演算処理装置に接続され演算処理装置に入力された上記各情報を記憶媒体に記憶させる記憶装置とを備え、補修作業の前後の撮影記憶情報に位置情報と時刻情報を結合させて記憶させたもの（記憶媒体）を道路管理者に提出することで、指示された場所の道路の補修作業の作業完了を明確に証明するようにしたシステムが知られている。また、特許文献２には、カメラによって撮影した道路の状況を動画像情報として出力することが開示されている。特許文献３には、道路を走行しながら路面上を清掃するようにしてある路面清掃車が開示されている。
【特許文献１】特開平９−１４７１６３号公報
【特許文献２】特開平１１−２５８９８０号公報
【特許文献３】特開２００５−３６４７５号公報
【発明の開示】
【発明が解決しようとする課題】
【０００３】
道路を走行しながら路面上を清掃するようにしてある路面清掃車に特許文献１に記載のシステムを採用した場合、清掃後の道路状況を撮影するためには清掃前の撮影位置に車両を移動させなければならない。よって、道路清掃する場所毎に路面清掃車による撮影用移動時間が道路清掃時間に含まれることで作業効率の低下につながる問題があった。また、清掃後、作業者自身が清掃前の位置に戻りカメラで道路状況を撮影しても良いが、危険が伴うと共に清掃前と撮影角度が異なる問題があった。更に特許文献２のカメラを用いて清掃作業を動画像情報とした場合、清掃後の道路状況を撮影するために、前方の道路を撮影しているカメラを後方の道路を撮影するように反転させなければならない煩わしさがある。そこで本発明の課題は、上記問題点を解決するもので、道路清掃しながらその清掃中の道路の状態を記録するようにした路面清掃車を提供することを目的とする。
【課題を解決するための手段】
【０００４】
本発明の路面清掃車は、塵埃を収容可能なホッパーと、路面上の塵埃をホッパー内に回収可能な清掃装置とを備え、道路を走行しながら路面上を清掃するようにしてある路面清掃車において、車両の緯度、経度の位置データを検出可能な位置検出装置と、清掃する道路の清掃前の道路状況を撮影可能な清掃前用カメラと、清掃する道路の清掃後の道路状況を撮影可能な清掃後用カメラと、前記両カメラから出力される撮影データとその時点で位置検出装置により検出される車両の位置データとを組み合わせた作業データを記録する作業データ記録装置を備え、道路清掃しながらその清掃中の道路の清掃前と清掃後の道路状況を示す撮影データと清掃中の車両の位置データとを組み合わせた作業データを記録するようにしたことを特徴とする。
前記清掃前用カメラは車両前方の道路状況を撮影可能な複数の前方監視カメラと道路清掃する清掃領域の全景を撮影可能な全景用カメラとから成り、清掃後用カメラは車両後方の道路状況を撮影可能な複数の後方監視カメラから成ることを特徴とする。
具体的には、前方監視カメラは、車両の左側前方の道路状況を撮影可能な左側前方監視カメラと車両の右側前方の道路状況を撮影可能な右側前方監視カメラとから成り、後方監視カメラは、車両の左側後方の道路状況を撮影可能な左側後方監視カメラと車両の右側後方の道路状況を撮影可能な右側後方監視カメラとから成り、道路清掃個所が道路の左側か右側かによって対応する側の前方監視カメラと後方監視カメラから撮影データが出力されるようにしたことを特徴とする。
【発明の効果】
【０００５】
本発明では、位置検出装置と、清掃前用カメラと、清掃後用カメラと、前記両カメラから出力される撮影データとその時点で検出される車両の位置データとを組み合わせた作業データを記録する作業データ記録装置を備え、道路清掃しながらその清掃中の道路の清掃前と清掃後の道路状況を示す撮影データと清掃中の車両の位置データとを組み合わせた作業データを記録するようにしたので、道路清掃する場所毎に路面清掃車の撮影用移動時間が道路清掃時間に含まれないので作業効率が向上することになる。
また、本発明では、清掃前用カメラは車両前方の道路状況を撮影可能な複数の前方監視カメラと道路清掃する清掃領域の全景を撮影可能な全景用カメラとから成り、清掃後用カメラは車両後方の道路状況を撮影可能な複数の後方監視カメラから成るので、清掃前と清掃後の道路状況及び、清掃領域の全景を示す撮影データを道路清掃しながら簡易迅速に得ることができる。
また、本発明では、前方監視カメラは左側前方監視カメラと右側前方監視カメラとから成り、後方監視カメラは左側後方監視カメラと右側後方監視カメラとから成り、道路清掃個所が道路の左側か右側かによって対応する側の前方監視カメラと後方監視カメラから撮影データが出力されるようにしたので、清掃場所の中に道路の左側を清掃する場合と道路の右側を清掃する場合があっても、確実に道路清掃箇所の撮影データを得ることができる。
【発明を実施するための最良の形態】
【０００６】
図１に示す路面清掃車１は、塵埃Ｍを収容可能なホッパー２と、路面３上の塵埃Ｍをホッパー２内に回収可能な清掃装置４とを備え、道路を走行しながら路面３上を清掃するようになっている。本実施形態では、前記清掃装置４は車体１ａの両側に配置された側ブラシ５と吸込口６が路面３と対向するように配置されたピックアップヘッド７とから成る。ピックアップヘッド７の吸込口６に車体１ａに搭載されたブロア装置８の駆動により吸引力を作用させ、側ブラシ５により掃き寄せられた塵埃Ｍをピックアップヘッド７の吸込口６からホッパー２内に回収するようになっている。この車両１には、車両１の緯度、経度の位置データを検出可能な位置検出装置１０と、清掃する道路の清掃前の道路状況を撮影可能な清掃前用カメラ１１と、清掃する道路の清掃後の道路状況を撮影可能な清掃後用カメラ１２と、前記両カメラ１１，１２から出力される撮影データとその時点で位置検出装置１０により検出される車両１の位置データとを組み合わせた作業データを記録する作業データ記録装置１３を備え、道路清掃しながらその清掃中の道路の清掃前と清掃後の道路状況を示す撮影データと清掃中の車両１の位置データとを組み合わせた作業データを記録するようにしてある。また、車両１には作業データ記録装置１３に接続された表示装置１４が設けられ、前記作業データを表示しながら道路清掃を行うようになっている。前記位置検出装置１０は、通信衛星から送信されてくるＧＰＳ信号を受信するものであり、信号に基づいて位置データの他に時刻データや速度データを検出することも可能である。
【０００７】
前記清掃前用カメラ１１は車両１前方の道路状況を撮影可能な複数の前方監視カメラ１１Ａと道路清掃する清掃領域の全景を撮影可能な全景用カメラ１１Ｂとから成り、清掃後用カメラ１２は車両１後方の道路状況を撮影可能な複数の後方監視カメラ１２Ａから成る。前記前方監視カメラ１１Ａは、車両１の左側前方の道路状況を撮影可能な左側前方監視カメラ１１Ａ１と車両１の右側前方の道路状況を撮影可能な右側前方監視カメラ１１Ａ２とから成り、後方監視カメラ１２Ａは、車両１の左側後方の道路状況を撮影可能な左側後方監視カメラ１２Ａ１と車両１の右側後方の道路状況を撮影可能な右側後方監視カメラ１２Ａ２とから成る。また、図示しない制御手段により、道路清掃箇所が道路の左側か右側かによって対応する側の前方監視カメラ１１Ａと後方監視カメラ１２Ａから撮影データが出力されるようになっている。尚、本実施形態では、清掃前用カメラ１１と清掃後用カメラ１２から動画像の撮影データが出力されるが、静止画像の撮影データを出力するカメラであってもよい。
【０００８】
上記構成の路面清掃車１を用いて道路清掃を行う場合について説明する。高速道路や一般幹線道路を管理する道路管理者から道路の清掃を委託された業者は、指示された場所の道路清掃の作業完了を証明するために、道路の清掃前と清掃後の道路状況を示す撮影データと清掃中の車両１の位置データとを組み合わせた作業データを提出するようになっている。路面清掃車１が指示された場所の道路に到着すると、車両１に備えた位置検出装置１０、清掃前用カメラ１１、清掃後用カメラ１２、作業データ記録装置１３を夫々作動させる。その後、路面清掃車１によって道路を走行しながら路面３上を清掃すると共に、清掃中の道路の清掃前と清掃後の道路状況を示す撮影データと清掃中の車両１の位置データとを組み合わせた作業データが記録される。その後、作業データは記録媒体１５に書き込まれ、その記録媒体１５が道路管理者に提出されるようになっている。また、作業データに清掃作業中の時刻データや車両１の速度データを組み合わせてもよい。前記清掃前の道路状況を示す撮影データは一方の前方監視カメラ１１Ａから出力される撮影データと全景用カメラ１１Ｂから出力される撮影データであり、清掃後の道路状況を示す撮影データは一方の後方監視カメラ１２Ａから出力される撮影データである。例えば、図２のように道路の左側を清掃する場合には、撮影データは左側前方監視カメラ１１Ａ１、全景用カメラ１１Ｂ、左側後方監視カメラ１２Ａ１から出力されたものである。
【０００９】
従って、道路清掃しながらその清掃中の道路の清掃前と清掃後の道路状況を示す撮影データと清掃中の車両１の位置データとを組み合わせた作業データを記録することから、従来のように、道路清掃する場所毎に路面清掃車１の撮影用移動時間が道路清掃時間に含まれないので、無駄な時間が削除され作業効率を向上させることができる。更に、作業者自身が清掃前の位置に戻りカメラで道路状況を撮影するような危険作業が行なわれることがない。また、前記撮影データは、車両１前方の道路状況を撮影可能な複数の前方監視カメラ１１Ａと道路清掃する清掃領域の全景を撮影可能な全景用カメラ１１Ｂと、車両１後方の道路状況を撮影可能な複数の後方監視カメラ１２Ａから出力されるので、従来のように、前方の道路状況を撮影しているカメラを後方の道路状況を撮影するように反転させて清掃後の道路状況を撮影する必要がないから、清掃後、別の道路の清掃場所に路面清掃車１を速やかに移動させることができる。また、清掃場所の中に道路の左側を清掃する場合と道路の右側を清掃する場合があっても、確実に道路清掃箇所の撮影データを記録することができる。更に、前記作業データに時刻データや速度データを組み合わせることで、清掃する時刻における路上駐車の車両数や塵埃Ｍ量の把握及び、路面清掃車１の最適な作業速度を管理することができる。
【図面の簡単な説明】
【００１０】
【図１】本発明の路面清掃車の側面図である。
【図２】図１の平面図であって、道路の左側を清掃する状態を示す図である。
【図３】システムの構成図である。
【符号の説明】
【００１１】
１        路面清掃車
２        ホッパー
３        路面
４        清掃装置
１０      位置検出装置
１１      清掃前用カメラ
１１Ａ    前方監視カメラ
１１Ａ１  左側前方監視カメラ
１１Ａ２  右側前方監視カメラ
１１Ｂ    全景用カメラ
１２      清掃後用カメラ
１２Ａ    後方監視カメラ
１２Ａ１  左側後方監視カメラ
１２Ａ２  右側後方監視カメラ
１３      作業データ記録装置
Ｍ        塵埃
【図１】
2007293411.tif 000003
【図２】
2007293411.tif 000004
【図３】
2007293411.tif 000005